(57)【要約】      （修正有）【課題】地震等によって目地部が狭くなっても目地プレートが上方へ突出するのを防止するとともに、その揺れ動きのほぼ半分のスピードでその揺れ動きを吸収できる目地プレートの移動にして、安全に使用することができ、かつ小さな目地プレートを用いて、輸送や取付け等の取り扱いを容易にすることができる床用目地装置を得る。【解決手段】目地部の幅寸法のほぼ２倍の長さの複数本の一方の支持レール１２と、後端部が該一方の支持レールと対応する他方の建物の躯体に枢支された他方の支持レール１６と、スライド移動可能に支持される中央目地プレート１７と、他方の建物の躯体に枢支された少なくとも２個以上の中央維持機構１９と、前記中央目地プレートと重なり合い、スライド移動可能な一方の固定目地プレート２０と、スライド移動可能な前記目地部の幅寸法とほぼ同じ幅寸法の他方の固定目地プレート２１とで床用目地装置を構成している。【選択図】図１
2005299336.tif 000002
【特許請求の範囲】
【請求項１】
目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の  
一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールと前記一方の支持レールにスライド移動可能に支持される前記目地部の幅寸法とほぼ２倍の長さ寸法の中央目地プレートと、この中央目地プレートの中央部を前記一方の支持レールと他方の支持レールとの中央部に常時位置させる両端部が、前記スラブの反目地部部位と他方の建物の躯体に枢支された少なくとも２個以上の中央維持機構と、前記スラブの反目地部側部位あるいは前記一方の支持レールの後端部に取付けられた先端部が前記中央目地プレートと重なり合い、スライド移動可能な前記目地部の幅寸法とほぼ同じ幅寸法の一方の固定目地プレートと、前記他方の躯体あるいは前記他方の支持レールの後端部に取付けられた先端部が、前記中央目地プレートと重なり合い、スライド移動可能な前記目地部の幅寸法とほぼ同じ幅寸法の他方の固定目地プレートとを備えることを特徴とする床用目地装置。
【請求項２】
目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の  
一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールに支持される後端部が前記他方の躯体あるいは該他方の支持レールの後端部に取付けられた、前記目地部の幅寸法とほぼ同じ寸法の他方の固定目地プレートと、前記複数本の一方の支持レールに支持される後端部が、前記スラブの反目地部部位あるいは該一方の支持レールの後端部に取付けられた、前記目地部の幅寸法とほぼ同じ寸法の一方の固定目地プレートと、この一方の固定目地プレートと前記他方の固定目地プレートと両端部が重なり、スライド移動可能な前記目地部の幅寸法の２倍の中央目地プレートと、この中央目地プレートの中央部を前記一方の支持レールと他方の支持レールとの中央部に常時位置させる両端部が前記スラブの反目地部部位と他方の建物の躯体に枢支された少なくとも２個以上の中央維持機構とを備えることを特徴とする床用目地装置。
【請求項３】
目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の  
一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールおよび前記複数本の一方の支持レールに支持される前記目地部の幅寸法のほぼ２倍の中央支持プレートと、この中央支持プレートに下方が突出する傾斜面に形成された先端部側が支持され、後端部が前記他方の躯体あるいは他方の支持レールの後端部に取付けられた、前記目地部の幅寸法とほぼ同じ寸法の他方の固定目地プレートと、前記中央支持プレートに下方が突出する傾斜面に形成された先端部側が支持され、後端部が前記スラブの反目地部部位あるいは一方の支持レールの後端部に取付けられた前記目地部の幅寸法とほぼ同じ寸法の一方の固定目地プレートと、この一方の固定目地プレートと前記他方の固定目地プレートとの間を覆い、上面がほぼ同一面となるように上下移動可能に取付けられた両端部の上方が突出する傾斜面に形成された中央目地プレートと、この中央目地プレートおよび前記中央支持プレートのの中央部を前記一方の支持レールと、他方の支持レールとの中央部に常時位置させる両端部が前記スラブの反目地部部位と他方の建物の躯体に枢支された少なくとも２個以上の中央維持機構とを備えることを特徴とする床用目地装置。
【請求項４】
目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の  
一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールと前記複数本の一方の支持レールに等間隔でスライド移動可能に支持された複数本の支持バーと、この複数本の支持バーを等間隔で伸縮させる両端部が前記スラブの反目地部部位と他方の建物の躯体に枢支された少なくとも２個以上のパンタグラフ状の伸縮リンクと、前記複数本の支持バーに後端部が固定され、先端部が所定量重なり合う複数個の目地プレートとを備えることを特徴とする床用目地装置。
【請求項５】
左右の建物の目地部側に目地部の幅寸法とほぼ同じ寸法に形成された左右のスラブの上面に所定間隔で複数本、後端部が反目地部側に枢支された前記目地部の幅寸法とほぼ同じ寸法の左右の支持レールと、この複数本の左右の支持レールの対応する支持レールにそれぞれ両端部がスライド移動可能に取付けられた、前記目地部の幅寸法のほぼ２倍のスライドレールと、この複数本のスライドレールのほぼ中央部に中央部が枢支された、前記目地部の幅寸法のほぼ２倍の中央目地プレートと、前記左右のスラブの反目地部部位あるいは前記左右の支持レールの後端部に取付けられた先端部が前記中央目地プレートの両端部と重なり合いスライド移動可能な、前記目地部の幅寸法とほぼ同じ寸法の左右の固定目地プレートと、前記中央目地プレートの中央部を常時目地部の中央部に位置させる両端部が左右のスラブに枢支された中央維持機構とを備えることを特徴とする床用目地装置。
【請求項６】
左右の建物の目地部側に目地部の幅寸法とほぼ同じ寸法に形成された左右のスラブの上面に所定間隔で複数本、後端部が反目地部側に枢支された前記目地部の幅寸法とほぼ同じ寸法の左右の支持レールと、この複数本の左右の支持レールの対応する支持レールにそれぞれ両端部がスライド移動可能に取付けられた、前記目地部の幅寸法のほぼ２倍のスライドレールと、前記左右のスラブの反目地部部位あるいは前記左右の支持レールの後端部に取付けられた、前記左右の支持レールに支持される前記目地部の幅寸法とほぼ同じ寸法の左右の固定目地プレートと、この左右の固定目地プレートに両端部が重なり、スライド移動可能な前記目地部の幅寸法のほぼ２倍の中央目地プレートと、この中央目地プレートの中央部を前期目地部の中央部に常時位置させる両端部が前記左右のスラブに枢支された中央維持機構とを備えることを特徴とする床用目地装置。
【請求項７】
左右の建物の目地部側に目地部の幅寸法とほぼ同じ寸法に形成された左右のスラブの上面に所定間隔で複数本、後端部が反目地部側に枢支された前記目地部の幅寸法とほぼ同じ寸法の左右の支持レールと、この複数本の左右の支持レールの対応する支持レールにそれぞれ両端部がスライド移動可能に取付けられた、前記目地部の幅寸法のほぼ２倍のスライドレールと、前記複数本のスライドレールに支持される、該スライドレールとほぼ同じ寸法の中央支持プレートと、この中央支持プレートに下方が突出する傾斜面に形成された先端部側がスライド移動可能に支持され、後端部が前記左右のスラブの反目地部側あるいは前記左右の支持レールの後端部に取付けられた左右の固定目地プレートと、この左右の固定目地プレート間を覆い、上面がほぼ同一面となるように上下移動可能に取付けられた両端部の上方が突出する傾斜面に形成された中央目地プレートと、この中央目地プレートおよび前記中央支持プレートの中央部を前記目地部の中央部に常時位置させる両端部が前記スラブに枢支された中央維持機構とを備えることを特徴とする床用目地装置。
【請求項８】
左右の建物の目地部側に目地部の幅寸法とほぼ同じ寸法に形成された左右のスラブの上面に所定間隔で複数本、後端部が反目地部側に枢支された前記目地部の幅寸法とほぼ同じ寸法の左右の支持レールと、この複数本の左右の支持レールの対応する支持レールにそれぞれ両端部がスライド移動可能に取付けられた、前記目地部の幅寸法のほぼ２倍のスライドレールと、前記左右の支持レールおよび前記スライドレールに等間隔でスライド移動可能に支持された複数本の支持バーと、この複数本の支持バーを等間隔で伸縮させる両端部が前記スラブの反目地部部位に枢支されたパンタグラフ状の伸縮リンクと、前記複数本の支持バーに後端部が固定され、先端部が所定量重なり合う複数個の目地プレートとを備えることを特徴とする床用目地装置。
【発明の詳細な説明】
【技術分野】
【０００１】
本発明は目地部を介して設けられた左右の床躯体間の目地部を覆う床用目地装置に関する。
【背景技術】
【０００２】
従来の床用目地装置は目地部側の一方の床躯体に目地部の幅寸法とほぼ同じ幅寸法の凹部を形成し、該凹部を覆うように先端部が位置する目地部が狭くなると、一方の床躯体上へ乗り上がる目地プレートの後端部を目地部側の他方の床躯体に上下移動可能に取付けている。
【０００３】
このため、地震等によって目地部が狭くなるように揺れ動いた場合には、目地プレートの先端部が一方の床躯体上へ揺れ動きと同じスピードで上方へ突出して、その揺れ動きを吸収する状態で移動し、危険であるという欠点があった。
また、目地プレートは目地部の幅寸法のほぼ２倍の幅寸法のものを用いるため、大きく、重量も重くなるため、取り扱いに苦労するという欠点があった。
【特許文献１】特開２００１−３２９６２５
【発明の開示】
【発明が解決しようとする課題】
【０００４】
本発明は以上のような従来の欠点に鑑み、地震等によって目地部が狭くなっても目地プレートが上方へ突出するのを防止するとともに、その揺れ動きのほぼ半分のスピードでその揺れ動きを吸収できる目地プレートの移動にして、安全に使用することができ、かつ小さな目地プレートを用いて、輸送や取付け等の取り扱いを容易にすることができる床用目地装置を提供することを目的としている。                
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールと前記一方の支持レールにスライド移動可能に支持される前記目地部の幅寸法とほぼ２倍の長さ寸法の中央目地プレートと、この中央目地プレートの中央部を前記一方の支持レールと他方の支持レールとの中央部に常時位置させる両端部が、前記スラブの反目地部部位と他方の建物の躯体に枢支された少なくとも２個以上の中央維持機構と、前記スラブの反目地部側部位あるいは前記一方の支持レールの後端部に取付けられた先端部が前記中央目地プレートと重なり合い、スライド移動可能な前記目地部の幅寸法とほぼ同じ幅寸法の一方の固定目地プレートと、前記他方の躯体あるいは前記他方の支持レールの後端部に取付けられた先端部が前記中央目地プレートと重なり合い、スライド移動可能な前記目地部の幅寸法とほぼ同じ幅寸法の他方の固定目地プレートとで床用目地装置を構成している。
【発明の効果】
【０００７】
以上の説明から明らかなように、本発明にあっては次に列挙する効果が得られる。
【０００８】
（１）目地部側に目地部の幅寸法のほぼ２倍の長さのスラブが形成された一方の建物の、該スラブの上面に所定間隔で後端部が反目地部側に枢支された目地部の幅寸法のほぼ２倍の長さの複数本の一方の支持レールと、この複数本の一方の支持レールにそれぞれスライド移動可能で、後端部が該一方の支持レールと対応する他方の建物の躯体に枢支された目地部の幅寸法のほぼ２倍の長さの複数本の他方の支持レールと、この複数本の他方の支持レールと前記一方の支持レールにスライド移動可能に支持される前記目地部の幅寸法とほぼ２倍の長さ寸法の中央目地プレートと、この中央目地プレートの中央部を前記一方の支持レールと他方の支持レールとの中央部に常時位置させる両端部が、前記スラブの反目地部部位と他方の建物の躯体に枢支された少なくとも２個以上の中央維持機構と、前記スラブの反目地部側部位あるいは前記一方の支持レールの後端部に取付けられた先端部が前記中央目地プレートと重なり合い、スライド移動可能な前記目地部の幅寸法とほぼ同じ幅寸法の一方の固定目地プレートと、前記他方の躯体あるいは前記他方の支持レールの後端部に取付けられた先端部が前記中央目地プレートと重なり合い、スライド移動可能な前記目地部の幅寸法とほぼ同じ幅寸法の他方の固定目地プレートとで構成されているので、複数本の一方の支持レールと他方の支持レールとによって、中央目地プレート、一方の固定目地プレート、他方の固定目地プレートを支持することができる。
したがって、各目地プレートを比較的薄い材質を用いても、十分な強度が得られ、輸送や取付け等の取り扱いを容易に行なうことができる。
【０００９】
（２）前記（１）によって、中央目地プレートは少なくとも２個以上の中央維持機構によって、目地部の幅寸法が変化する場合に目地部の中央部に中央目地プレートの中央部が位置するように移動させることができる。
したがって、地震等の揺れ動き量の吸収はほぼ半分の中央目地目地プレートの移動量で吸収することができるため、その移動スピードをほぼ半分のスピードに低減させることができ、安全に使用することができる。
【００１０】
（３）前記（１）によって、左右の躯体が異なる前後方向に揺れ動いた場合にも、複数本の一方の支持レールと他方の支持レールおよび、少なくとも２個以上の中央維持機構が前後方向に回動して、中央目地プレートを前後方向にスライド移動させて、その揺れ動きを吸収することができる。
【００１１】
（４）前記（１）によって、目地部が最小になる揺れ動きを吸収するための最小寸法で各部材の寸法が設定されているため、経済的な製品にすることができる。
【００１２】
（５）請求項２、３、４、５、６、７、８も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は他方の建物２の通路３が形成された壁面の躯体４と目地部５を介して設けられた、該目地部５の幅寸法Ｌのほぼ２倍の幅寸法を有する一方の建物６のスラブ７との間を伸縮可能に覆う本発明の床用目地装置で、この床用目地装置１は前記スラブ７の上面に形成された上面に必要に応じてスベリ板８を有する凹部９と、このスラブ７の上面の凹部９に所定間隔で後端部が反目地部側に固定されたアングル状の取付板１０に枢支ピン１１で枢支された、前記目地部の幅寸法Ｌのほぼ２倍の複数本の一方の支持レール１２と、この複数本の一方の支持レール１２にそれぞれスライド移動可能で、後端部が該一方の支持レール１２と対応する他方の建物２の躯体４に複数本のビス１３等で固定された支持台１４に枢支ピン１５で枢支された、前記目地部の幅寸法Ｌのほぼ２倍の複数本の他方の支持レール１６と、この複数本の他方の支持レール１６と前記一方の支持レール１２に支持される、前記目地部の幅寸法Ｌとほぼ２倍の幅寸法の中央目地プレート１７と、この中央目地プレート１７の中央部を前記一方の支持レール１２と他方の支持レール１６との中央部に常時位置させる、両端部が枢支ピン１８、１８で枢支され前記スラブ７の凹部９の反目地部部位の前期取付版１０と他方の建物２の躯体４に固定された、少なくとも２個以上の中央維持機構１９、１９と、前記スラブ７の凹部９の反目地部側部位あるいは前記一方の支持レール１２の後端部、本発明を実施する形態では反目地部側部位に取付けられた先端部が、前記中央目地プレート１７と重なり合う前記目地部の幅寸法Ｌとほぼ同じ寸法の一方の固定目地プレート２０と、前記他方の躯体４あるいは前記他方の支持レール１６の後端部、本発明を実施する形態では他方の躯体４に取付けられた先端部が前記中央目地プレート１７と重なり合い、スライド移動可能な前記目地部の幅寸法Ｌとほぼ同じ幅寸法の他方の固定目地プレート２１とで構成されている。
【００１５】
前記複数本の一方の支持レール１２は図５に示すように、角パイプ材製のものが使用され、他方の支持レール１６は前記取付板１０とほぼ同じ肉厚のチャンネル材を用いたガイドレール２２と、このガイドレール２２にガイドされて前記一方の支持レール１２がスライド移動できるように固定された角パイプ材製の他方の支持レール本体２３とで構成されている。
【００１６】
前記少なくとも２個以上の中央維持機構１９、１９は図６に示すように、該中央維持機構１９、１９を設置する部位の前記一方の支持レール１２、他方の支持レール１６の隣り合う寸法が広く設定された部位に取付けられるもので、四角枠が多数個形成されたパンタグラフ状のリンク機構２４と、このリンク機構２４の中央枢支部２５に枢支された、前記中央目地プレート１７の中央部の底面に複数本のビス２６等で固定される作動杆２７と、前記リンク機構２４の両端部に枢支ピン１８、１８で枢支された複数本のビス２８等によって前記取付板１０や躯体４に固定される取付金具２９、２９とで構成されている。
【００１７】
上記構成の床用目地装置１は通常時には複数本の一方の支持レール１２と、該一方の支持レール１２にスライド移動可能な他方の支持レール１６に支持された中央目地プレート１７、一方の固定目地プレート２０、他方の固定目地プレート２１で目地部５およびスラブ７上を覆っている。
【００１８】
地震等によって目地部５が狭くなるように揺れ動いた場合には、図７に示すように一方の固定目地プレート２０の先端部と他方の固定目地プレート２１の先端部とが当接するように近接するとともに、中央目地プレート１７の中央部が複数本の一方の支持レール１２と他方の支持レール１６の中央部に位置するように、少なくとも２個以上の中央維持機構１９、１９でスライド移動させてその揺れ動きを最大ほぼ目地部の幅寸法分だけ吸収する。この時、揺れ動き量に対し、その揺れ動き量を吸収する中央目地プレート１７の移動量が半分で吸収できるため、その移動スピードを半分に減速することができ、安全に使用することができる。
【００１９】
目地部が広くなるように揺れ動いた場合には、図８に示すように一方の固定目地プレート２０の先端部と他方の固定目地プレート２１の先端部が離れるとともに、中央目地プレート１７の中央部が複数本の一方の支持レール１２と他方の支持レール１６の中央部に位置するように、少なくとも２個以上の中央維持機構１９、１９でスライド移動させて、その揺れ動きを最大ほぼ目地部の幅寸法分だけ吸収する。この時、揺れ動き量に対し、その揺れ動き量を吸収する中央目地プレート１７の移動量が半分で吸収できるため、その移動スピードを半分に減速することができ、安全に使用することができる。
【００２０】
また、異なる前後方向に揺れ動いた場合には、図９に示すように複数本の一方の支持レール１２と、この一方の支持レール１２とスライド移動可能な他方の支持レール１６は後端部が枢支ピン１１、１５で枢支されているとともに、少なくとも２個以上の中央維持機構１９、１９の両端部も枢支ピン１８、１８で枢支されているため、前後方向に回動し、中央目地プレート１７の中央部を一方の支持レール１０と他方の支持レール１６の前後左右方向の中央部に位置するように移動させて、その揺れ動きを吸収する。この場合にも、揺れ動き量に対して、中央目地プレート１７は半分の移動でその揺れ動きを吸収でき、両側部にできる隙間も小さくでき、安全に使用することができる。
[発明を実施するための異なる形態]
【００２１】
次に、図１０ないし図３８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１０ないし図１２に示す本発明を実施するための第２の形態において、前記本発明を実施するための最良の第１の形態と主に異なる点は、複数本の一方の支持レール１２と、この一方の支持レール１２とスライド移動可能に取付けられた他方の支持レール１６との後端部を枢支する枢支ピン１１、１５で一方の固定目地プレート２０と他方の固定目地プレート２１とを、該複数本の一方の支持レール１２と他方の支持レール１６に支持されるとともに、該一方の固定目地プレート２０と他方の固定目地プレート２１に両端部がスライド移動可能に支持された両端部が傾斜面３０、３０に形成された中央目地プレート１７Ａとを用いた点で、このように構成された床用目地装置１Ａにしても、前記本発明を実施するための最良の第１の形態と同様な作用効果が得られる。
【００２３】
図１３ないし図１５に示す本発明を実施するための第３の形態において、前記本発明を実施するための最良の第１の形態と主に異なる点は、複数本の一方の支持レール１２と、この一方の支持レール１２と他方の支持レール１６とに目地部の幅寸法Ｌのほぼ２倍の幅寸法の中央支持プレート３１と、この中央支持プレート３１に支持される下方が突出する傾斜面３２を先端部に有する一方の固定目地プレート２０Ａと、前記中央支持プレート３１に支持される下方が突出する傾斜面３２を先端部に有する他方の固定目地プレート２１Ａと、この他方の固定目地プレート２１Ａと前記一方の固定目地プレート２０Ａとの間を覆い、上面がほぼ同一面となるように上下移動可能に取付けられた両端部の上方が突出する傾斜面３３、３３に形成された中央目地プレート１７Ｂと、この中央目地プレート１７Ｂの中央部の底面に固定された作動杆２７を上下方向にスライド移動可能にリンク機構２４の中央枢支部２５に枢支した中央維持機構１９Ａ、１９Ａを用いた点で、このように構成した床用目地装置１Ｂにしても、前記本発明を実施するための最良の第１の形態と同様な作用効果が得られるとともに、通常時は上面がほぼ同一面となり、バリアフリーにできる。
【００２４】
図１６ないし図１８に示す本発明を実施するための第４の形態において、前記本発明を実施するための最良の第１の形態と主に異なる点は、複数本の一方の支持レール１２と他方の支持レール１６に等間隔でスライド移動可能に支持された複数本の支持バー３４と、この複数本の支持バー３４を等間隔で伸縮させる両端部がスラブ７の反目地部部位と他方の躯体４に枢支ピン１８、１８で枢支された少なくとも２個以上のパンタグラフ状の伸縮リンク３５、３５と、前記複数本の支持バー３４に後端部が複数本のビス３６等によって固定された先端部が所定量重なり合う複数個の目地プレート３７、３７Ａ、３７Ｂ、３７Ｃ、３７Ｄ、３７Ｅ、３７Ｆとを用いた点で、このように構成した床用目地装置１Ｃにしても、前記本発明を実施するための最良の第１の形態と同様な作用効果が得られる。
【００２５】
図１９ないし図２１に示す本発明を実施するための第５の形態において、前記本発明を実施するための第４の形態と主に異なる点は、同じ形状の目地プレート３７、３７、３７、３７、３７、３７、３７を用いるとともに、該目地プレート３７、３７、３７、３７、３７、３７、３７の後端部を常時支持バー３４、３４、３４、３４、３４、３４、３４に押し圧するように付勢スプリング３８を介装したボルト３９を用いて取付けた点で、このように構成した床用目地装置１Ｄにしても、前記本発明を実施するための第４の形態と同様な作用効果が得られる。
【００２６】
図２２ないし図２４に示す本発明を実施するための第６の形態において、前記本発明を実施するための第４の形態と主に異なる点は、複数本の支持バー３４上に伸縮リンク３５、３５を取付けるとともに、該伸縮リンク３５、３５が伸縮のじゃまにならないように切欠溝４０、４０を形成した複数個の目地プレート３７、３７Ａ、３７Ｂ、３７Ｃ、３７Ｄ、３７Ｅ、３７Ｆを用いた点で、このように構成した床用目地装置１Ｅにしてもよい。
【００２７】
図２５および図２６に示す本発明を実施するための第７の形態において、前記本発明を実施するための最良の第１の形態と主に異なる点は、チャンネル状のガイドレール２２の両側部に角パイプ材製の他方の支持レール本体２３、２３を固定した他方の支持レール１６Ａと、この他方の支持レール１６Ａの他方の支持レール本体２３、２３間をスライド移動する一方の支持レール１２とを用いた点で、このような他方の支持レール１６Ａを用いた床用目地装置１Ｆにしても、前記本発明を実施するための最良の第１の形態と同様な作用効果が得られる。
【００２８】
図２７ないし図２９に示す本発明を実施するための第８の形態において、前記本発明を実施するための最良の第１の形態と主に異なる点は、リップミゾ型鋼形状の一方の支持レール１２Ａと、この一方の支持レール１２Ａにスライド移動可能に係合するＴ字状の係合部４１を有するほぼＨ字状の他方の支持レール１６Ｂとを用いた点で、このような一方の支持レール１２Ａと他方の支持レール１６Ｂとを用いて構成した床用目地装置１Ｇにしても、前記本発明を実施するための最良の第１の形態と同様な作用効果が得られる。
【００２９】
図３０ないし図３２に示す本発明を実施するための第9の形態において、前記本発明を実施するための最良の第1の形態と主に異なる点は、左右のスラブ７、7に目地部の幅寸法Ｌと同じ幅寸法の凹部９、９を形成し、該凹部９、９の反目地部側に所定間隔で目地部と同じ寸法のチャンネル状の左右の支持レール４２、４２を枢支ピン１１、１５で枢支するとともに、この左右の支持レール４２、４２にそれぞれスライド移動可能に両端部にローラ４３、４３が取付けられた、前記目地部の幅寸法Ｌのほぼ2倍のスライドレール４４と、このスライドレール４４のほぼ中央部に中央部が枢支された目地部の幅寸法の2倍の幅寸法の中央目地プレート１７Ｃとを用いた点で、このように構成した床用目地装置１Ｈにしても前記本発明を実施するための最良の第1の形態と同様な作用効果が得られる。
【００３０】
図３３および図３４に示す本発明を実施するための第１０の形態において、前記本発明を実施するための第９の形態と主に異なる点は、前記本発明を実施するための第２の形態と同様に左右の支持レール４２、４２およびスライドレール４４上に一方の固定目地プレート２０と他方の固定目地プレート２１を支持させるとともに、該一方の固定目地プレート２０と他方の固定目地プレート２１に中央目地プレート１７Ａを支持させた点で、このように構成した床用目地装置１Ｉにしても、前記本発明を実施するための第９の形態と同様な作用効果が得られる。
【００３１】
図３５および図３６に示す本発明を実施するための第１１の形態において、前記本発明を実施するための第９の形態と主に異なる点は、前記本発明を実施するための第３の形態と同様に左右の支持レール４２、４２およびスライドレール４４上に中央支持プレート３１を支持させ、該中央支持プレート３１に一方の固定目地プレート２０Ａ、他方の固定目地プレート２１Ａおよび中央目地プレート１７Ｂを支持させた点で、このように構成した床用目地装置１Ｊにしても、前記本発明を実施するための第９の形態と同様な作用効果が得られる。
【００３２】
図３７および図３８に示す本発明を実施するための第１２の形態において、前記本発明を実施するための第９の形態と主に異なる点は、前記本発明を実施するための第４の形態と同様に左右の支持レール４２、４２およびスライドレール４４上に等間隔でスライド移動可能な複数本の支持バー３４と、この複数本の支持バー３４にそれぞれ取付けられた目地プレート３７、３７Ａ、３７Ｂ、３７Ｃ、３７Ｄ、３７Ｅ、３７Ｆを用いた点で、このように構成した床用目地装置１Ｋにしても、前記本発明を実施するための第９の形態と同様な作用効果が得られる。
【産業上の利用可能性】
【００３３】
本発明は床用目地装置を製造する産業で利用される。
【図面の簡単な説明】
【００３４】
【図１】本発明を実施するための最良の第１の形態の平面図。
【図２】図１の２−２線に沿う部分拡大断面図。
【図３】図１の３−３線に沿う部分拡大断面図。
【図４】本発明を実施するための最良の第１の形態の目地プレートを外した状態の平面図。
【図５】本発明を実施するための最良の第１の形態の一方の支持レールと他方の支持レールの説明図。
【図６】本発明を実施するための最良の第１の形態の中央維持機構の説明図。
【図７】本発明を実施するための最良の第１の形態の目地部が狭くなった動作説明図。
【図８】本発明を実施するための最良の第１の形態の目地部が広くなった動作説明図。
【図９】本発明を実施するための最良の第１の形態の異なる前後方向の動作説明図。
【図１０】本発明を実施するための第２の形態の平面図。
【図１１】図１０の１１−１１線に沿う部分拡大断面図。
【図１２】図１０の１２−１２線に沿う部分拡大断面図。
【図１３】本発明を実施するための第３の形態の平面図。
【図１４】図１３の１４−１４線に沿う部分拡大断面図。
【図１５】本発明を実施するための第３の形態の中央支持プレート、左右の固定プレートおよび中央目地プレートの説明図。
【図１６】本発明を実施するための第４の形態の平面図。
【図１７】図１６の１７−１７線に沿う部分拡大断面図。
【図１８】本発明を実施するための第４の形態の目地プレートの説明図。
【図１９】本発明を実施するための第５の形態の平面図。
【図２０】図１９の２０−２０線に沿う部分拡大断面図。
【図２１】本発明を実施するための第５の形態の目地プレートの説明図。
【図２２】本発明を実施するための第６の形態の平面図。
【図２３】図２２の２３−２３線に沿う部分拡大断面図。
【図２４】本発明を実施するための第６の形態の目地プレートの説明図。
【図２５】本発明を実施するための第７の形態の平面図。
【図２６】図２５の２６−２６線に沿う部分拡大断面図。
【図２７】本発明を実施するための第８の形態の目地プレートを外した状態の平面図。
【図２８】図２７の２８−２８線に沿う部分拡大断面図。
【図２９】本発明を実施するための第８の形態の一方の支持レールと他方の支持レールの説明図。
【図３０】本発明を実施するための第９の形態の平面図。
【図３１】図３０の３１−３１線に沿う部分拡大断面図。
【図３２】本発明を実施するための第９の形態の支持レールとスライドレールの説明図。
【図３３】本発明を実施するための第１０の形態の平面図。
【図３４】図３３の３４−３４線に沿う部分拡大断面図。
【図３５】本発明を実施するための第１１の形態の平面図。
【図３６】図３５の３６−３６線に沿う部分拡大断面図。
【図３７】本発明を実施するための第１２の形態の平面図。
【図３８】図３７の３８−３８線に沿う部分拡大断面図。
【符号の説明】
【００３５】
１、１Ａ、１Ｂ、１Ｃ、１Ｄ、１Ｅ、１Ｆ、１Ｇ、１Ｈ、１Ｉ、１Ｊ、１Ｋ：床用目地装置、
２：他方の建物、              ３：通路、
４：躯体、                    ５：目地部、
６：一方の建物、              ７：スラブ、
８：スベリ板、                ９：凹部、
１０：取付板、                １１：枢支ピン、
１２、１２Ａ：一方の支持レール、
１３：ビス、                  １４：支持台、
１５：枢支ピン、
１６、１６Ａ、１６Ｂ：他方の支持レール、
１７、１７Ａ、１７Ｂ、１７Ｃ：中央目地プレート、
１８：枢支ピン、              １９、１９Ａ：中央維持機構、
２０、２０Ａ：一方の固定目地プレート、
２１、２１Ａ：他方の固定目地プレート、
２２：ガイドレール、          ２３：他方の支持レール本体、
２４：リンク機構、            ２５：中央枢支部、
２６：ビス、                  ２７：作動杆、
２８：ビス、                  ２９：取付金具、
３０：傾斜面、                ３１：中央支持プレート、
３２：傾斜面、                ３３：傾斜面、
３４：支持バー、              ３５：伸縮リンク、
３６：ビス、
３７、３７Ａ、３７Ｂ、３７Ｃ、３７Ｄ、３７Ｅ、３７Ｆ：目地プレート、
３８：付勢スプリング、        ３９：ボルト、
４０：切欠溝、                ４１：係合部、
４２：支持レール、            ４３：ローラ、
４４：スライドレール。
【図１】
2005299336.tif 000003
【図２】
2005299336.tif 000004
【図３】
2005299336.tif 000005
【図４】
2005299336.tif 000006
【図５】
2005299336.tif 000007
【図６】
2005299336.tif 000008
【図７】
2005299336.tif 000009
【図８】
2005299336.tif 000010
【図９】
2005299336.tif 000011
【図１０】
2005299336.tif 000012
【図１１】
2005299336.tif 000013
【図１２】
2005299336.tif 000014
【図１３】
2005299336.tif 000015
【図１４】
2005299336.tif 000016
【図１５】
2005299336.tif 000017
【図１６】
2005299336.tif 000018
【図１７】
2005299336.tif 000019
【図１８】
2005299336.tif 000020
【図１９】
2005299336.tif 000021
【図２０】
2005299336.tif 000022
【図２１】
2005299336.tif 000023
【図２２】
2005299336.tif 000024
【図２３】
2005299336.tif 000025
【図２４】
2005299336.tif 000026
【図２５】
2005299336.tif 000027
【図２６】
2005299336.tif 000028
【図２７】
2005299336.tif 000029
【図２８】
2005299336.tif 000030
【図２９】
2005299336.tif 000031
【図３０】
2005299336.tif 000032
【図３１】
2005299336.tif 000033
【図３２】
2005299336.tif 000034
【図３３】
2005299336.tif 000035
【図３４】
2005299336.tif 000036
【図３５】
2005299336.tif 000037
【図３６】
2005299336.tif 000038
【図３７】
2005299336.tif 000039
【図３８】
2005299336.tif 000040